(57)【要約】  ナット部材(2)の負荷転動溝(21)の末端において負荷状態から無負荷状態へ、あるいは無負荷状態から負荷状態へ移行するボール(3)の挙動の安定性を高め、無限循環路内におけるボール(3)の循環を円滑に行うことができ、ひいてはねじ軸(1)とナット部材(2)との間に作用する回転抵抗を低減させることが可能なボールねじ装置であり、ナット部材(2)の周壁には、ボール直径よりも大きな内径を有すると共に負荷転動溝(21)の両端と連続する一対のボール導入通路(25)がドリル加工され、このボール導入通路(25)は、前記ナット部材(2)の軸孔(20)の接線方向に貫通形成され、前記循環路形成部材(4)は、一対のボール導入通路(25)における負荷転動溝(21)とは反対側の開口を相互に連結して、前記ボールの無負荷戻し通路(42)を完成させる。
2007063696.tif 000002
【特許請求の範囲】
【請求項１】
転動体(3)の転動溝(10)が所定のリードで螺旋状に形成されたねじ軸(1)と、このねじ軸(1)が貫通する軸孔(20)を有すると共にこの軸孔の内周面には前記ねじ軸の転動溝に対向する螺旋状の負荷転動溝(21)が形成され、これら転動溝と負荷転動溝を転動する多数の転動体を介して前記ねじ軸に螺合するナット部材(2)と、このナット部材に装着されて転動体の無負荷戻し通路(42)を形成する循環路形成部材(4)とから構成される転動体ねじ装置において、
前記ナット部材(2)の周壁には、前記負荷転動溝(21)の両端と連続すると共に前記転動体(3)が無負荷状態で通過する一対の転動体導入通路(25)が形成され、
この転動体導入通路(25)は、前記ナット部材(2)の軸孔(20)の接線方向に貫通形成され、
前記循環路形成部材(4)は、一対の転動体導入通路(25)における負荷転動溝(21)とは反対側の開口を相互に連結して、前記転動体(3)の無負荷戻し通路(42)を完成させることを特徴とする転動体ねじ装置。
【請求項２】
前記転動体導入通路(25)は、前記ねじ軸(1)の転動溝(10)のリード角と合致した角度だけ該ねじ軸に垂直な断面から軸方向へ傾斜して形成されていることを特徴とする請求項１記載の転動体ねじ装置。
【請求項３】
前記転動体導入通路(25)とナット部材(2)の負荷転動溝(21)は滑らかに連続していることを特徴とする請求項１記載の転動体ねじ装置。
【請求項４】
前記ナット部材(2)には軸孔(20)を挟むようにして一対の薄肉部が形成され、前記転動体導入通路(25)はこの薄肉部に形成されていることを特徴とする請求項１記載の転動体ねじ装置。
【請求項５】
前記循環路形成部材(4)は前記ナット部材(2)の表面の一部を覆うプレート状に形成され、かかる循環路形成部材(4)の裏面と前記ナット部材(2)の表面との間で前記無負荷戻し通路(42)が形成されることを特徴とする請求項１記載の転動体ねじ装置。
【発明の詳細な説明】
【技術分野】
【０００１】
本発明は、ナット部材とねじ軸との間に配列された多数のボール、ローラ等の転動体を介してこれら両部材が回転自在に螺合し、例えば工作機械のワークテーブル等においてモータの回転運動を直線運動に変換する転動体ねじ装置に係り、詳細には、ナット部材の周壁に一対の貫通孔を形成し、かかる貫通孔を介して転動体の無限循環を行うタイプの転動体ねじ装置に関する。
【背景技術】
【０００２】
従来、この種の転動体ねじとしては、ナット部材の周壁に一対の貫通孔を形成し、かかる貫通孔に所謂リターンパイプを挿入してボールの無限循環路を形成したものが多数知られている（特開２００３−２３２４１号公報、特開２００４−９２８５３号公報等）。これら転動体ねじ装置は、図１０に示すように、螺旋状のボール転動溝１００が形成されたねじ軸１０１と、前記ボール転動溝１００に対向する螺旋状の負荷転動溝を有すると共にボール１０２を介して前記ねじ軸１０１に螺合するナット部材１０３と、このナット部材１０３に装着されてボール１０２の無限循環路を形成するリターンパイプ１０４とを備えている。【０００３】
図１１に示すように、かかるリターンパイプ１０４は、ナット部材１０３に挿入される一対の脚部１０５と、これら脚部１０５同士を連結する連絡通路部１０６とを備えて断面略Ｕ字状に形成されており、一方の脚部１０５から他方の脚部１０５に向けて内部をボール１０２が転走し得るようになっている。一方、前記ナット部材１０３の周壁にはリターンパイプ１０４の脚部１０５を挿入するための貫通孔がナット部材の中心軸線を挟むようにして一対形成されており、これら貫通孔はナット部材の内周面に対して接線状に開設されている。また、これらの貫通孔は負荷転動溝の数巻分を隔てて形成されている。そして、この貫通孔に対してリターンパイプ１０４の脚部１０５を挿入すると、各脚部１０５がナット部材１０３の内周面に僅かに突出し、ねじ軸１０１のボール転走溝１００からボール１０２をリターンパイプ１０４内に掬い上げるように構成されている。従って、ねじ軸１０１のボール転動溝１００とナット部材１０３の負荷転動溝との間で荷重を負荷しながら転動してきたボール１０２は、リターンパイプ１０４の脚部１０５が突出する位置に到達すると、荷重から開放されると共にねじ軸１０１のボール転動溝１００から離脱し、リターンパイプ１０４内を無負荷状態で転動して数巻分前のボール転動溝１００に戻される。すなわち、リターンパイプ１０４をナット部材１０３に装着することによってボール１０２の無限循環路が形成されることになる。【０００４】
また、特開平３−１２１３４１号公報に開示される転動体ねじ装置では、ナット部材の貫通孔に挿入されたリターンパイプの脚部が、ボール転動溝のリード角と合致した角度だけ、ねじ軸に垂直な断面から軸方向へ傾斜して形成されている。このため、ねじ軸のボール転動溝とナット部材の負荷転動溝との間で荷重を負荷しながら転動してきたボールは、転動方向を変化させることなくリターンパイプの脚部に転がり込むことができ、その分だけリターンパイプに対するボールの出入りが円滑になされるようになっている。
【特許文献１】特開２００３−２３２４１号公報
【特許文献２】特開２００４−９２８５３号公報
【特許文献３】特開平３−１２１３４１号公報
【発明の開示】
【発明が解決しようとする課題】
【０００５】
しかし、これら従来の転動体ねじ装置では、ナット部材の貫通孔に挿入されたリターンパイプの脚部が該ナット部材の内周面に到達しており、リターンパイプの先端とナット部材における負荷転動溝の末端とが直接連結されてボール無限循環路が形成されている。このため、ナット部材に対する貫通孔の加工精度やリターンパイプの加工精度が積み重なった結果として、リターンパイプの先端と負荷転動溝の末端との間に意図しない段差が形成され易く、当該部位を通過するボールの挙動が不安定なものになり易いといった問題点があった。【０００６】
特に、リターンパイプの先端と負荷転動溝の末端との連結部位においては、ボールが荷重の負荷状態から無負荷状態へ、あるいは無負荷状態から負荷状態へ移行するため、かかる部位においてボールの転動が不安定なものになると、ボールの円滑な循環の妨げとなり、ねじ軸に対するナット部材の回転抵抗が増加する原因となる。
【課題を解決するための手段】
【０００７】
本発明はこのような問題点に鑑みなされたものであり、その目的とするところは、ナット部材の負荷転動溝の末端において負荷状態から無負荷状態へ、あるいは無負荷状態から負荷状態へ移行する転動体の挙動の安定性を高め、無限循環路内における転動体の循環を円滑に行うことができ、ひいてはねじ軸とナット部材との間に作用する回転抵抗を低減させることが可能な転動体ねじ装置を提供することにある。【０００８】
すなわち、本発明の転動体ねじ装置は、転動体の転動溝が所定のリードで螺旋状に形成されたねじ軸と、このねじ軸が貫通する軸孔を有すると共にこの軸孔の内周面には前記ねじ軸の転動溝に対向する螺旋状の負荷転動溝が形成され、これら転動溝と負荷転動溝を転動する多数の転動体を介して前記ねじ軸に螺合するナット部材と、このナット部材に装着されて転動体の無負荷戻し通路を形成する循環路形成部材とから構成されている。前記ナット部材の周壁には、前記負荷転動溝の両端と連続すると共に前記転動体が無負荷状態で通過する一対の転動体導入通路がドリル加工されている。この転動体導入通路は、前記ナット部材の軸孔の接線方向に貫通形成されている。また、前記循環路形成部材は、一対の転動体導入通路における負荷転動溝とは反対側の開口を相互に連結して、前記転動体の無負荷戻し通路を完成させている。【０００９】
このように構成される本発明の転動体ねじ装置では、ねじ軸の転動溝とナット部材の負荷転動溝との間で荷重を負荷していた転動体は、かかる負荷転動溝の末端に到達すると、一方の転動体導入通路に進入して荷重から解放されると共に、かかる転動体導入通路を転動した後に循環路形成部材が形成する無負荷戻し通路へと進入する。また、無負荷戻し通路を転動した転動体は他方の転動体導入通路を経て負荷転動溝の反対側の末端に進入し、ねじ軸の転動溝とナット部材の負荷転動溝との間で再び荷重を負荷する。これにより、ボール、ローラといった転動体の無限循環路が完成する。【００１０】
このとき、前記転動体導入通路はナット部材に対してドリル加工等で直接的に形成されており、ナット部材の加工精度を高めることで負荷転動溝の末端と転動体導入通路の連続性を確保することができる。また、転動体導入通路は前記ナット部材の軸孔の接線方向に貫通形成されているので、負荷転動溝の末端と転動体導入通路との連結部位において転動体の転動方向が急激に変化することもない。それ故、転動体が負荷状態から無負荷状態へ、あるいは無負荷状態から負荷状態へ移行する際に、その挙動が不安定となることはなく、転動体を無限循環路内で円滑に循環させることが可能となる。【００１１】
一方、本発明の転動体ねじ装置においては、前記転動体導入通路がナット部材に直接形成されるため、前記循環路形成部材をナット部材に装着して転動体の無負荷戻し通路を形成すると、循環路形成部材の加工精度によっては、転動体導入通路と無負荷戻し通路の連結部位に僅かに段差が生じる懸念がある。しかし、転動体は転動体導入通路内で既に無負荷状態にあり、また、かかる転動体導入通路内では直線状に転動しているので、仮に転動体導入通路と無負荷戻し通路の連結部位に僅かな段差が生じたとしても、転動体の循環にとって大きな障害となることはなく、やはり転動体を無限循環路内で円滑に循環させることが可能となる。また、このことは、循環路形成部材のナット部材に対する取付け精度の緩和にも繋がり、その分だけ転動体ねじ装置を容易に組み立てることが可能となる。【００１２】
すなわち、本発明の転動体ねじ装置によれば、無限循環路内における転動体の循環を円滑に行うことができ、ひいてはねじ軸とナット部材との間に作用する回転抵抗を低減させることが可能となる。
【図面の簡単な説明】
【００１３】
【図１】本発明を適用したボールねじ装置の実施の形態を示す側面図である。
【図２】図１に示したボールねじ装置の正面図である。
【図３】実施の形態に示すボールねじ装置のナット部材及びカバープレートを組み合わせた状態を示す斜視図である。
【図４】実施の形態に示すボールねじ装置のナット部材の斜視図である。
【図５】実施の形態に示すボールねじ装置のカバープレートの斜視図である。
【図６】ボール導入通路を拡大した断面図である。
【図７】無限循環路をナット部材の軸方向へ２回繰り返し設けた例を示す斜視図である。
【図８】図７のナット部材に装着するカバープレートを示すものである。
【図９】２条ねじに対応したナット部材の構造の一例を示す斜視図である。
【図１０】従来の転動体ねじ装置を示す斜視図である。
【図１１】従来の転動体ねじ装置のリターンパイプを示す斜視図である。
【符号の説明】
【００１４】
１…ねじ軸、２…ナット部材、３…ボール、４…カバープレート、１０…ボール転動溝、２０…軸孔、２１…負荷転動溝、２２…隆起部、２５…ボール導入通路、４２…無負荷戻し通路
【発明を実施するための最良の形態】
【００１５】
以下、添付図面を用いて本発明の転動体ねじ装置を詳細に説明する。【００１６】
図１及び図２は転動体としてボールを用いたボールねじ装置の一例を示すものである。このボールねじ装置は、外周面に螺旋状のボール転動溝が形成されたねじ軸１と、多数のボール３を介して前記ねじ軸１に螺合するナット部材２と、このナット部材に装着される循環路形成部材としてのカバープレート４とから構成されている。前記ナット部材２にカバープレート４を装着することでボール３の無限循環路が該ナット部材２に具備され、かかるナット部材２がねじ軸１の周囲を螺旋状に回転するようになっている。尚、図１においては前記ナット部材２の一部を切り欠いて描いている。【００１７】
前記ねじ軸１の外周面には所定のリードで螺旋状のボール転動溝１０が形成されており、前記ボール３はこのボール転動溝１０の内部を転動する。ここで、リードとは、ねじ軸１の１回転においてボール転動溝１０がねじ軸１の軸方向へ進行する距離である。前記ボール転動溝１０は二つの曲面が略９０度で交わるようにして形成されており、ボール進行方向と直交する断面形状はゴシックアーチ状をなしている。このため、前記ボール３はこのゴシックアーチ状のボール転動溝１０に対して２点で接触しており、ねじ軸１の軸方向に作用する荷重に対して約４５度の接触角を生じるようになっている。また、ねじ軸１の外周面において互いに隣接するボール転動溝１０とボール転動溝１０との間にはねじ山１１が形成されている。尚、図１に示したねじ軸１には１条のボール転動溝１０が形成されている。【００１８】
図３に示すように、前記ナット部材２はカバープレート４を装着した際に円筒状の外観を呈するように形成されており、中央には前記ねじ軸１がそう通される軸孔２０を有している。この軸孔２０の内周面には前記ねじ軸１のボール転動溝１０と対向する負荷転動溝２１が形成されており、ナット部材２の負荷転動溝２１とねじ軸１のボール転動溝１０が対向することにより、ボール３がナット部材２とねじ軸１との間で荷重を負荷しながら転動する負荷通路が構成されるようになっている。【００１９】
図４は、カバープレート４を取り外した状態のナット部材２を示す斜視図である。かかるナット部材２の表面にはカバープレート４によって覆われる隆起部２２が形成されると共に、この隆起部２２の両側には前記カバープレート４の取付け基準となる一対の突き合わせ面２３，２３が形成されている。これら突き合わせ面２３は同一平面上に位置している。図示はされていないが、前記カバープレート４はこれを貫通する固定ボルトによって前記ナット部材２に固定されており、かかる固定ボルトは前記突き合わせ面２３に形成されたタップ孔に螺合するようになっている。【００２０】
前記ナット部材２は隆起部２２と夫々の突き合わせ面２３の交わった部位において最も肉厚が薄く形成されており、かかる部位には軸孔２０に通じるボール導入通路２５が各々形成されている。これらボール導入通路２５はボール３の直径よりも僅かに大きな内径を有しており、ナット部材２の軸孔２０の内周面において前記負荷転動溝２１の末端と連結されている。すなわち、負荷転動溝２１の両端は夫々にボール導入通路２５と連結されていることになる。【００２１】
このボール導入通路２５はドリル加工によりナット部材２に対して直接形成されている。従って、ボール導入通路２５は途中で屈曲することなく直線状に形成されている。また、ボール導入通路２５の軸方向はナット部材２の軸孔２０の接線方向と合致しており、負荷転動溝２１に沿って軸孔２０の内周面を公転してきたボール３が円滑に公転軌道から離脱し、直線状に形成された前記ボール導入通路２５へ円滑に転がり込むようになっている。【００２２】
更に、前記ボール導入通路２５は、前記ねじ軸１のボール転動溝１０のリード角と合致した角度だけ該ねじ軸１に垂直な断面から軸方向へ傾斜して形成されている。ここでリード角βとは、ねじ軸１の周囲を公転するボール３の中心間距離をｄ（図２参照）、ねじ軸１のリードをＬとした場合に、ｔａｎβ＝Ｌ／πｄで表される角度である。ボール導入通路２５をこのような角度だけねじ軸１に垂直な断面から軸方向へ傾斜させて形成すると、負荷転動溝２１を転動してきたボール３はその転動方向を変化させることなく前記ボール導入通路２５に進入することができ、無駄な抵抗を作用させることなく負荷転動溝２１とボール導入通路２５との間でボール３の受け渡しを行うことが可能となる。【００２３】
一方、前述したナット部材２の隆起部２２には一対のボール導入通路２５，２５を相互に連結する内側案内溝２６が形成されている。この内側案内溝２６は長手方向に垂直な断面が半円状に形成されており、その溝幅はボール３の直径よりも僅かに大きく設定されている。【００２４】
また、前記カバープレート４は略円弧状に形成されており、その両端には前記ナット部材２の突き合わせ面２３と接する平坦面４０が形成されている。このカバープレート４の裏面には前記内側案内溝２６と対向する外側案内溝４１が形成されている。かかる外側案内溝４１は長手方向に垂直な断面が半円状に形成されており、その溝幅はボール３の直径よりも僅かに大きく設定されている。また、外側案内溝４１の両端は前記平坦面４０に夫々解放されている。【００２５】
従って、カバープレート４をナット部材２に装着すると、ナット部材２の隆起部２２に形成された内側案内溝２６とカバープレート４に形成された外側案内溝４１が互いに対向し、ボール３の直径よりも僅かに大きな内径の無負荷戻し通路４２が形成される。また、この無負荷戻し通路４２の両端部はナット部材２のボール導入通路２５と夫々連結される。すなわち、カバープレート４をナット部材２に装着することで、ナット部材２に形成された一対のボール導入通路２５を相互に連結する無負荷戻し通路４２が完成するのである。【００２６】
ねじ軸１とナット部材２との間で荷重を負荷しながら転動したボール３は、前記負荷転動溝２１の一端から一方のボール導入通路２５へ進入し、かかるボール導入通路２５において荷重から解放されて無負荷状態となる。また、ボール導入通路２５内を進行したボール３は前記無負荷戻し通路４２を経て隆起部２２の反対側に位置する他方のボール導入通路２５に転がり込む。そして、ボール３はこのボール導入通路２５を通過した後、負荷転動溝２１へ転がり込み、再び荷重を負荷しながらねじ軸１のボール転動溝１０とナット部材２の負荷転動溝２１との間を転動する。すなわち、このボールねじ装置ではカバープレート４をナット部材２に装着することで、ナット部材２にボール３の無限循環路が具備されている。尚、図３及び図４中において、一点鎖線で描かれた曲線は無限循環路内におけるボール３の軌道を示している。【００２７】
図６は、ナット部材２に加工されたボール導入通路２５を該ナット部材２の軸方向から観察した拡大断面図である。ボール導入通路２５はナット部材２の軸孔２０に対して接線方向に形成されていることから、かかるボール導入通路２５の軸孔側の開口２５ａは略楕円形状をなしている。このため、負荷転動溝２１からボール導入通路２５へ転動するボール３は、かかるボール導入通路２５に差しかかると、徐々に荷重から解放されながら該ボール導入通路２５に転がり込む。【００２８】
また、前記ボール導入通路２５は隆起部２２に形成された内側案内溝２６と滑らかに連続する一方、軸孔２０の内周面に形成された負荷転動溝２１の末端とも滑らかに連続している。加えて、前述のように、ボール導入通路２５はナット部材２の軸孔２０に対して接線方向に形成され、更に、ねじ軸１のボール転動溝１０のリード角と合致した角度だけ該ねじ軸１に垂直な断面から軸方向へ傾斜して形成されている。このため、ボール３が負荷転動溝２１からボール導入通路２５へ進入する際には、ボール３の挙動を不安定とさせるような段差や転動方向の急激な変更が一切なく、ボール３を円滑に負荷転動溝２１からボール導入通路２５へ導くことができる。このことは、ボール３がボール導入通路２５から負荷転動溝２１へ進入する際も同じである。【００２９】
一方、ボール導入通路２５は無負荷戻し通路４２と連結されており、かかる無負荷戻し通路４２はナット部材２側の内側案内溝２６とカバープレート４側の外側案内溝４１との組み合わせによって形成されていることから、ボール導入通路２５と無負荷戻し通路４２との連結部位にはナット部材２とカバープレート４の境界面が存在することになる。すなわち、カバープレート４の加工精度や、カバープレート４のナット部材２に対する取付け精度次第では、ボール導入通路２５と無負荷戻し通路４２の連結部位に段差が生じてしまう。【００３０】
しかし、ボール３はボール導入通路２５内で既に負荷から解放されて無負荷状態にあることから、前記段差が僅かなものであれば、ボール３の転動に対して大きな抵抗が作用することはない。また、ボール導入通路２５は直線状に形成され、その内部を転動するボール３の整列状態も安定していることから、ボール導入通路２５と無負荷戻し通路４２の境界部に僅かな段差が存在したとしても、転動するボール３の挙動が不安定となることはない。従って、ボール導入通路２５と無負荷戻し通路４２との境界部においても、ボール３の円滑な転動を期待することができる。【００３１】
前記ボール導入通路２５はナット部材２に対して直接ドリル加工されるが、単にドリル加工したのみでは、ボール導入通路２５と研削加工された負荷転動溝２１とが滑らかに連続せず、両者の連結部位に段差が生じてしまう懸念がある。このため、ボール導入通路２５と負荷転動溝２１とを滑らかに連続させるためには、ドリル加工後のボール導入通路２５に対してナット部材２の外側からエンドミルを挿入し、ボール導入通路２５と負荷転動溝２１との連結部位、すなわちナット部材２の軸孔２０に対するボール導入通路２５の開口部位２５ａに仕上げ加工を施す必要がある。【００３２】
しかし、このようにナット部材２の外側からボール導入通路２５にエンドミルを挿入して、ナット部材２の軸孔２０に対するボール導入通路２５の開口部位２５ａに仕上げ加工を施すには、ボール導入通路２５の長さを可及的に短くすることが必要である。このことから、ナット部材２の外側には軸孔２０を挟むようにして一対の薄肉部５が形成されており、この薄肉部５に対して前記ボール導入通路２５が加工されている。図６に示す例では、前記薄肉部５は隆起部２２と突き合わせ面２３の交わった部位に相当している。【００３３】
そして、以上のように構成された本発明の転動体ねじ装置によれば、ナット部材２の負荷転動溝２１の末端において負荷状態から無負荷状態へ、あるいは無負荷状態から負荷状態へ移行するボール３の挙動の安定性を高め、無限循環路内におけるボール３の循環を円滑に行うことができ、ひいてはねじ軸１とナット部材２との間に作用する回転抵抗を低減させることが可能となる。【００３４】
尚、本発明の転動体ねじ装置は図１〜図６を用いて説明した例に限られず、例えば、図７に示すように、ナット部材２の軸方向に沿って同一の構造を複数回繰り返した転動体ねじ装置も製作することが可能である。この場合、ナット部材２の隆起部２２には２条の内側案内溝２６が形成され、かかる隆起部２２を覆うカバープレート４には、図８に示すように、これら内側案内溝２６に対応した２条の外側案内溝４１が形成されることになる。【００３５】
また、本発明の転動体ねじ装置では、ねじ軸１に２条のボール転動溝１０を形成すると共に、ナット部材２の軸孔２０の内周面にも２条の負荷転動溝２１を形成することも可能である。図９はその場合におけるナット部材２の構成例を示すものである。このナット部材２では隣接する２条の負荷転動溝２１のそれぞれに対してボール導入通路２５を形成する必要があるため、かかるナット部材２の軸孔２０を挟んだ上下に同一の構造を形成した。また、図９に示すナット部材２では前記構造が軸方向へ２回繰り返されている。この場合、ナット部材２に装着するカバープレート４としては、図８に示したものをそのまま利用することができ、ナット部材２の上下に形成された隆起部２２に対してカバープレート４を夫々装着することになる。【００３６】
これら図７及び図９に示す例では、ねじ軸１とナット部材２との間で同時に荷重を負荷している有効ボールの数を増やすことができ、より大きな荷重に抗してねじ軸１の回転運動をナット部材２の直線運動に変換することが可能となる。【００３７】
更に、図１から図６に示した例では、カバープレート４の裏面とナット部材２との表面に夫々形成された溝２６，４１を互いに対向させ、これら溝２６，４１の協働によってトンネル状の無負荷戻し通路４２を構成していたが、本発明はこれに限定されるものではない。例えば、ナット部材の隆起部には溝を形成せず、カバープレートの裏面にのみボールを収容可能な溝を形成するようにしても良い。また、無負荷戻し通路が形成された中空状のチューブを循環路形成部材としてナット部材に装着し、かかるチューブの端部を前記ボール導入路に連結するようにしても良い。このように構成しても前記ボール導入通路の機能は一切失われることはなく、前述した本発明の作用効果を充分に発揮することが可能である。【００３８】
また更に、前述の例では転動体としてボールを用いた例を説明したが、かかる転動体としてはローラを用いることも可能である。その場合、ナット部材に形成する転動体導入路はローラの形状に対応したものとすることが必要である。
【図１】
2007063696.tif 000003
【図２】
2007063696.tif 000004
【図３】
2007063696.tif 000005
【図４】
2007063696.tif 000006
【図５】
2007063696.tif 000007
【図６】
2007063696.tif 000008
【図７】
2007063696.tif 000009
【図８】
2007063696.tif 000010
【図９】
2007063696.tif 000011
【図１０】
2007063696.tif 000012
【図１１】
2007063696.tif 000013
【国際調査報告】
2007063696.tif 000014
2007063696.tif 000015